(57)【特許請求の範囲】
【請求項１】
ＨＦＯ冷媒により熱交換を行う熱交換器と、
前記熱交換器が配置される内部空間への前記ＨＦＯ冷媒の漏洩を検知する検知部と、
前記熱交換器により熱交換された空気を送風口から室内空間へ送風する送風部と、
前記内部空間で紫外線を照射する紫外線照射部と、
前記検知部が前記ＨＦＯ冷媒の漏洩を検知した場合に、前記紫外線照射部による紫外線の照射を開始させるよう制御する制御部と、を備える室内機ユニット。
【請求項２】
前記制御部は、前記検知部が前記ＨＦＯ冷媒の漏洩を検知した場合に、前記送風部の送風量を減少させるよう制御する請求項１に記載の室内機ユニット。
【請求項３】
前記紫外線照射部は、前記送風口に配置され、前記送風口から前記室内空間へ送風される前記ＨＦＯ冷媒を照射する請求項１または請求項２に記載の室内機ユニット。
【請求項４】
前記送風口から送風される前記空気の向きを調節する風向調節部材を備え、
前記制御部は、前記検知部が前記ＨＦＯ冷媒の漏洩を検知した場合に、前記送風口を閉鎖するように該風向調節部材の向きを制御する請求項１に記載の室内機ユニット。
【請求項５】
前記熱交換器は、前記室内空間から吸入された空気が流入する第１面と、前記ＨＦＯ冷媒と熱交換した空気が流出する第２面とを有し、
前記紫外線照射部は、前記熱交換器の前記第２面に配置され、前記第２面から流出する前記ＨＦＯ冷媒を照射する請求項１または請求項４に記載の室内機ユニット。
【請求項６】
請求項１から請求項５のいずれか１項に記載の室内機ユニットと、
前記室内機ユニットとともに前記ＨＦＯ冷媒が循環する冷媒回路を形成する室外機ユニットと、を備える空気調和装置。
【請求項７】
ＨＦＯ冷媒により熱交換を行う熱交換器と、該熱交換器が配置される内部空間で紫外線を照射する紫外線照射部とを備える室内機ユニットの制御方法であって、
前記内部空間への前記ＨＦＯ冷媒の漏洩を検知する検知工程と、
前記検知工程が前記ＨＦＯ冷媒の漏洩を検知した場合に、前記紫外線照射部による紫外線の照射を開始させるよう制御する制御工程と、を有する室内機ユニットの制御方法。
【発明の詳細な説明】
【技術分野】
【０００１】
本発明は、ＨＦＯ冷媒により熱交換を行う熱交換器を備える室内機ユニット、それを備えた空気調和装置および室内機ユニットの制御方法に関するものである。
【背景技術】
【０００２】
室内の冷暖房を行う空気調和装置の冷媒として、Ｒ４１０Ａ冷媒が広く用いられているが、地球温暖化係数（ＧＷＰ：Ｇｌｏｂａｌ−Ｗａｒｍｉｎｇ  Ｐｏｔｅｎｔｉａｌ）が高いことが問題視されている。
そこで、近年では、地球温暖化係数がＲ４１０Ａ冷媒（ＧＷＰ＝２０９０）よりも低いＨＦＯ冷媒（ハイドロフルオロオレフィン冷媒；例えば、ＨＦＯ−１２３４ｙｆ冷媒（ＧＷＰ＝４））等の使用が開始されている。
ＨＦＯ冷媒は、地球温暖化係数がＲ４１０Ａ冷媒よりも十分に低い点で有利であるが、これら冷媒のガスは可燃性（微燃性）を有しており、取扱いに十分な注意が必要である。
【０００３】
特許文献１には、冷凍サイクル装置から導入した冷媒を処理する冷媒処理装置において、ＨＦＯ冷媒の一種であるテトラフルオロプロペン（ＨＦＯ−１２３４）に紫外線照射を行い、炭素分子の二重結合を切断して不燃化させることが開示されている。
【先行技術文献】
【特許文献】
【０００４】
【特許文献１】特開２００９−２９７３４１号公報
【発明の概要】
【発明が解決しようとする課題】
【０００５】
冷凍サイクル装置の一例として室内機ユニットと室外機ユニットで冷媒回路を形成する空気調和装置が知られている。室内機ユニットの熱交換器においてＨＦＯ冷媒が漏洩すると、その冷媒が室内に漏洩する可能性がある。
しかしながら、特許文献１は、冷凍サイクル装置から導入した冷媒処理装置においてＨＦＯ冷媒を不燃化することを開示するに過ぎず、可燃性を有する冷媒が室内機ユニットの熱交換器から漏洩する場合の不具合を解決することができなかった。
【０００６】
本発明は、このような事情に鑑みてなされたものであって、ＨＦＯ冷媒が室内機ユニットの内部空間へ漏洩した場合に、漏洩したＨＦＯ冷媒を内部空間で不燃化させることが可能な室内機ユニット、空気調和装置および室内機ユニットの制御方法を提供することを目的とする。
【課題を解決するための手段】
【０００７】
上記した課題を解決するために、本発明の室内機ユニットは、以下の手段を採用する。
本発明の一態様にかかる室内機ユニットは、ＨＦＯ冷媒により熱交換を行う熱交換器と、前記熱交換器が配置される内部空間への前記ＨＦＯ冷媒の漏洩を検知する検知部と、前記熱交換器により熱交換された空気を送風口から室内空間へ送風する送風部と、前記内部空間で紫外線を照射する紫外線照射部と、前記検知部が前記ＨＦＯ冷媒の漏洩を検知した場合に、前記紫外線照射部による紫外線の照射を開始させるよう制御する制御部と、を備える。
【０００８】
本発明の一態様にかかる室内機ユニットによれば、ＨＦＯ冷媒が熱交換器から内部空間へ漏洩した場合、検知部がＨＦＯ冷媒の漏洩を検知し、制御部が紫外線照射部による紫外線の照射を開始させるよう制御する。ＨＦＯ冷媒の漏洩に応じて内部空間で紫外線の照射を開始することにより、内部空間に漏洩したＨＦＯ冷媒を迅速に不燃化させることができる。
また、ＨＦＯ冷媒の漏洩が検知されない場合には紫外線が照射されないため、紫外線を常時照射する場合に比べて消費電力を低減することができる。
【０００９】
本発明の一態様にかかる室内機ユニットにおいて、前記制御部は、前記検知部が前記ＨＦＯ冷媒の漏洩を検知した場合に、前記送風部の送風量を減少させるよう制御してもよい。
このようにすることで、ＨＦＯ冷媒の内部空間での滞留時間を長くし、室内空間へ送風されるＨＦＯ冷媒をより確実に不燃化させることができる。
【００１０】
本発明の一態様にかかる室内機ユニットにおいて、前記紫外線照射部は、前記送風口に配置され、前記送風口から前記室内空間へ送風される前記ＨＦＯ冷媒を照射するものであってもよい。
このようにすることで、送風口から室内空間へ送風されるＨＦＯ冷媒に紫外線を確実に照射し、ＨＦＯ冷媒をより確実に不燃化させることができる。
【００１１】
本発明の一態様にかかる室内機ユニットにおいては、前記送風口から送風される前記空気の向きを調節する風向調節部材を備え、前記制御部は、前記検知部が前記ＨＦＯ冷媒の漏洩を検知した場合に、前記送風口を閉鎖するように該風向調節部材の向きを制御するものであってもよい。
このようにすることで、可燃性を有するＨＦＯ冷媒が室内機ユニットの内部空間へ漏洩した場合に、送風口を介して内部空間から室内空間へＨＦＯ冷媒が漏洩することを防止することができる。
【００１２】
本発明の一態様にかかる室内機ユニットにおいて、前記熱交換器は、前記室内空間から吸入された空気が流入する第１面と、前記ＨＦＯ冷媒と熱交換した空気が流出する第２面とを有し、前記紫外線照射部は、前記熱交換器の前記第２面に配置され、前記第２面から流出する前記ＨＦＯ冷媒を照射するものであってもよい。
このようにすることで、熱交換器で熱交換された空気に混合したＨＦＯ冷媒に紫外線を確実に照射し、ＨＦＯ冷媒をより確実に不燃化させることができる。
【００１３】
本発明の一態様にかかる空気調和装置は、上記のいずれかに記載の室内機ユニットと、前記室内機ユニットとともに前記ＨＦＯ冷媒が循環する冷媒回路を形成する室外機ユニットと、を備える。
このようにすることで、ＨＦＯ冷媒が室内機ユニットの内部空間へ漏洩した場合に、漏洩したＨＦＯ冷媒を内部空間で不燃化させることが可能な空気調和装置を提供することができる。
【００１４】
本発明の一態様にかかる室内機ユニットの制御方法は、ＨＦＯ冷媒により熱交換を行う熱交換器と、該熱交換器が配置される内部空間で紫外線を照射する紫外線照射部とを備える室内機ユニットの制御方法であって、前記内部空間への前記ＨＦＯ冷媒の漏洩を検知する検知工程と、前記検知工程が前記ＨＦＯ冷媒の漏洩を検知した場合に、前記紫外線照射部による紫外線の照射を開始させるよう制御する制御工程と、を有する。
【００１５】
本発明の一態様にかかる室内機ユニットの制御方法によれば、ＨＦＯ冷媒が熱交換器から内部空間へ漏洩した場合、ＨＦＯ冷媒の漏洩が検知工程で検知され、制御工程が紫外線照射部による紫外線の照射を開始させるよう制御する。ＨＦＯ冷媒の漏洩に応じて内部空間で紫外線の照射を開始することにより、内部空間に漏洩したＨＦＯ冷媒を迅速に不燃化させることができる。
また、ＨＦＯ冷媒の漏洩が検知されない場合には紫外線が照射されないため、紫外線を常時照射する場合に比べて消費電力を低減することができる。
【発明の効果】
【００１６】
本発明によれば、ＨＦＯ冷媒が室内機ユニットの内部空間へ漏洩した場合に、漏洩したＨＦＯ冷媒を内部空間で不燃化させることが可能な室内機ユニット、空気調和装置および室内機ユニットの制御方法を提供することができる。
【図面の簡単な説明】
【００１７】
【図１】第１実施形態の空気調和装置を示す正面図である。
【図２】図１に示す室内機ユニットの正面図である。
【図３】図２に示す室内機ユニットのＡ−Ａ矢視縦断面図である。
【図４】第１実施形態の空気調和装置を示す構成図である。
【図５】第１実施形態の室内機ユニットの制御部が実行する処理を示すフローチャートである。
【図６】第２実施形態の室内機ユニットを示す縦断面図である。
【図７】室内機ユニットの変形例を示す縦断面図である。
【図８】第２実施形態の室内機ユニットの制御部が実行する処理を示すフローチャートである。
【発明を実施するための形態】
【００１８】
〔第１実施形態〕
以下に、本発明の第１実施形態にかかる空気調和装置１００について、図面を参照して説明する。
図１に示すように、本実施形態の空気調和装置１００は、室内空間Ｓ１の冷房または暖房を行う室内機ユニット１０と、室外空間Ｓ２に配置される室外機ユニット２０と、室内機ユニット１０と室外機ユニット２０とを接続して冷媒が循環する冷媒回路を形成する一対の冷媒配管３０とを備える。
図１に示すように、室内空間Ｓ１は、壁面Ｗにより室外空間Ｓ２から隔離された空間となっている。
【００１９】
室内機ユニット１０は、図１に示すように、熱交換器１１と、ガスセンサ１２（検知部）と、制御部１３と、フラップ１５（風向調節部材）と、紫外線照射装置１６（紫外線照射部）とを備える。熱交換器１１と、ガスセンサ１２（検知部）と、制御部１３と、紫外線照射装置１６は、室内機ユニット１０の筐体１０ｂにより形成される内部空間Ｓ３に収容されている。
【００２０】
熱交換器１１は、室内空間Ｓ１から室内機ユニット１０の内部空間Ｓ３へ導かれた空気と冷媒との熱交換を行う装置である。本実施形態の熱交換器１１は、Ｒ４１０Ａ冷媒よりも地球温暖化係数が十分に低いＨＦＯ冷媒（ハイドロフルオロオレフィン冷媒）を用いて熱交換を行うものである。
本実施形態の熱交換器１１は、プレートフィンチューブ型の熱交換器である。図２に示すように、熱交換器１１は、金属製のプレート１１ａを互いに平行となるように複数枚配置し、各プレート１１ａに形成された貫通孔に冷媒配管１１ｂがプレート１１ａに接触した状態で挿入したものである。
【００２１】
冷媒配管１１ｂは、一端が一対の冷媒配管３０の一方に接続され、他端が一対の冷媒配管３０の他端に接続され、冷媒回路を形成するようになっている。
図２は、図１に示す室内機ユニット１０の正面図であり、室内機ユニット１０の正面側の筐体１０ｂの一部を省略して内部を視認可能にした状態を示している。
【００２２】
図２に示すように、冷媒配管１１ｂは、冷媒の流通方向を１８０°切り替えるためのベンド部１１ｃが複数箇所に形成されている。ベンド部１１ｃは、例えば、Ｕ字型に形成される冷媒配管の両端部を直線状に形成される一対の冷媒配管の端部に接続して形成される。そのため、ベンド部１１ｃにおいては、他の箇所よりも冷媒配管１１ｂからの冷媒の漏洩が発生し易い。
【００２３】
本実施形態においては、地球温暖化係数がＲ４１０Ａ冷媒（ＧＷＰ＝２０９０）よりも低いＨＦＯ冷媒（ハイドロフルオロオレフィン冷媒；例えば、ＨＦＯ−１２３４ｙｆ冷媒（ＧＷＰ＝４））を用いるものである。ＨＦＯ冷媒は、可燃性（微燃性）を有する冷媒であるため、取り扱いに十分な注意が必要である。
【００２４】
ガスセンサ１２は、熱交換器１１の冷媒配管１１ｂから内部空間Ｓ３へのＨＦＯ冷媒の漏洩を検知するセンサである。ガスセンサ１２は、冷媒配管１１ｂを流通するＨＦＯ冷媒の主成分を検出可能となっている。ガスセンサ１２は、冷媒配管１１ｂから内部空間Ｓ３へのＨＦＯ冷媒の漏洩を検知した場合に、その旨を示す検知信号を、信号線を介して制御部１３に伝達する。
【００２５】
図２に示すように、ガスセンサ１２は、冷媒配管１１ｂのベンド部１１ｃの近傍に取り付けられている。これは、他の箇所よりも冷媒配管１１ｂからのＨＦＯ冷媒の漏洩が発生し易いベンド部１１ｃからのＨＦＯ冷媒の漏洩を早期に検知できるようにするためである。
【００２６】
制御部１３は、室内機ユニット１０の内部空間Ｓ３に配置されており、室内機ユニット１０の各部を制御する装置である。
図４の構成図に示すように、制御部１３は、信号線４０を介して室外機ユニット２０が有する制御部２１と接続されている。
【００２７】
フラップ１５は、室内機ユニット１０の送風口１０ａから吹き出される空気の上下方向の向きを調節する板状部材である。フラップ１５は、制御部１３により制御される駆動モータ１７（図４参照）によって駆動されることにより、上下方向の傾きが調節される。
【００２８】
紫外線照射装置１６は、内部空間Ｓ３で紫外線を照射する装置である。図１に示すように、紫外線照射装置１６は、水平方向に延びる形状となっており室内機ユニット１０の内部空間Ｓ３に配置されている。
紫外線照射装置１６は、例えば、紫外線を照射するＬＥＤ等の複数の発光素子を水平方向に間隔を置いて配置した装置とすることができる。また、紫外線照射装置１６は、水平方向に延びる全体において面照射を行う装置とすることができる。
【００２９】
図３（図２に示す室内機ユニット１０のＡ−Ａ矢視断面図）に示すように、室内機ユニット１０の筐体１０ｂは、送風口１０ａへ漏洩したＨＦＯ冷媒を導く送風流路１０ｃを形成している。
また、内部空間Ｓ３の上方に配置される熱交換器１１は、それぞれ支持部材１０ｄに取り付けられている。
【００３０】
図３に示すように、紫外線照射装置１６は、送風口１０ａに配置され、送風口１０ａから室内空間Ｓ１へ送風されるＨＦＯ冷媒を照射するようになっている。紫外線照射装置１６は、送風流路１０ｃの上方側に配置される筐体１０ｂと、送風流路１０ｃの下方側に配置される筐体１０ｂとのそれぞれに取り付けられている。
【００３１】
送風流路１０ｃの上方側に配置される紫外線照射装置１６は、図３中に矢印で示すように斜め下方に向けて紫外線を照射し、送風流路１０ｃを通過するＨＦＯ冷媒を不燃化させる。
また、送風流路１０ｃの下方側に配置される紫外線照射装置１６は、図３中に矢印で示すように斜め上方に向けて紫外線を照射し、送風流路１０ｃを通過するＨＦＯ冷媒を不燃化させる。
【００３２】
なお、図３においては、紫外線照射装置１６を、送風流路１０ｃの上方側に配置される筐体１０ｂと、送風流路１０ｃの下方側に配置される筐体１０ｂとのそれぞれに取り付けるものとしたが、他の態様であってもよい。例えば、送風流路１０ｃの上方側に配置される筐体１０ｂまたは送風流路１０ｃの下方側に配置される筐体１０ｂのいずれか一方にのみ取り付けるようにしてもよい。
【００３３】
図３に示すように、室内機ユニット１０は、熱交換器１１により熱交換された空気を送風口１０ａから室内空間Ｓ１へ送風する室内ファン１４（送風部）を有する。
室内ファン１４は、制御部１３から伝達される制御信号により制御されることにより、図３中に矢印で示す方向に回転して内部空間Ｓ３の空気を送風口１０ａへ向けて送風する。
【００３４】
次に、室内機ユニット１０の制御部１３が実行する処理について、図４および図５を用いて説明する。
図４の構成図に示すように、室内機ユニット１０の制御部１３は、ガスセンサ１２、室内ファン１４、紫外線照射装置１６、およびフラップ１５を駆動する駆動モータ１７と、内部の信号線を介して接続されている。また、制御部１３は、信号線４０を介して室外機ユニット２０の制御部２１と接続されている。
【００３５】
以下の図５に示す各処理は、室内機ユニット１０の制御部１３が有するＣＰＵがＲＯＭ等の記憶部に記憶された制御プログラムを読み出して実行する処理である。
以下、図５に示す各処理について説明する。
【００３６】
ステップＳ５０１において、制御部１３は、ガスセンサ１２から出力される信号を監視し、ガスセンサ１２が内部空間Ｓ３へのＨＦＯ冷媒の漏洩を検知したかどうかを判断する。
制御部１３は、ステップＳ５０１でＹＥＳと判断した場合はステップＳ５０２に処理を進め、ＮＯと判断した場合は再びステップＳ５０１の処理を実行する。
【００３７】
ステップＳ５０２において、制御部１３は、内部空間Ｓ３へ漏洩したＨＦＯ冷媒を不燃化させるために、紫外線照射装置１６へ制御信号を送信して紫外線照射装置１６による紫外線の照射を開始させる。
【００３８】
ステップＳ５０３において、制御部１３は、室内ファン１４に制御信号を送信して室内ファン１４による送風量を減少させる。送風量の減少により、ＨＦＯ冷媒の内部空間Ｓ３での滞留時間が長くなる。そのため、送風量を減少させない場合に比べて、ＨＦＯ冷媒に対する紫外線の照射時間が長くなり、ＨＦＯ冷媒をより確実に不燃化させることができる。
【００３９】
なお、図５に示すフローチャーの各処理において、制御部１３は、フラップ１５が図３に実線で示す位置となるように駆動モータ１７を制御する。具体的に、制御部１３は、フラップ１５が送風口１０ａを閉鎖しない角度となるように駆動モータ１７を制御する。
【００４０】
そのため、内部空間Ｓ３に漏洩したＨＦＯ冷媒は、内部空間Ｓ３から送風流路１０ｃを通過し、送風口１０ａから室内空間Ｓ１へ導かれる。ＨＦＯ冷媒は、室内空間Ｓ１へ流入することとなるが、送風口１０ａに配置された紫外線照射装置１６による紫外線の照射により不燃化される。
【００４１】
ステップＳ５０４において、制御部１３は、ガスセンサ１２から出力される信号を監視し、ガスセンサ１２がＨＦＯ冷媒の漏洩を検知したかどうかを判断する。
制御部１３は、ステップＳ５０４でＮＯと判断した場合はステップＳ５０５に処理を進め、ＹＥＳと判断した場合は再びステップＳ５０４の処理を実行する。
【００４２】
ステップＳ５０５において、制御部１３は、内部空間Ｓ３へのＨＦＯ冷媒の漏洩がガスセンサ１２により検知されなくなったことから、紫外線照射装置１６へ制御信号を送信して紫外線照射装置１６による紫外線の照射を停止させる。
このように、紫外線照射装置１６による紫外線の照射は、ガスセンサ１２がＨＦＯ冷媒の内部空間Ｓ３への漏洩を検知している場合にのみ行われる。そのため、紫外線を常時照射する場合に比べ、紫外線の照射に要する消費電力を低減することができる。
【００４３】
ステップＳ５０６において、制御部１３は、内部空間Ｓ３へのＨＦＯ冷媒の漏洩がガスセンサ１２により検知されなくなったことから、室内ファン１４に制御信号を送信して室内ファン１４による送風量を増加させる。
【００４４】
以上のように室内機ユニット１０の制御部１３は、ガスセンサ１２がＨＦＯ冷媒の内部空間Ｓ３への漏洩を検知した場合に、ＨＦＯ冷媒に紫外線を照射して不燃化させることができる。
【００４５】
以上説明した本実施形態の空気調和装置１００が奏する作用および効果について説明する。
本実施形態の空気調和装置１００の室内機ユニット１０によれば、ＨＦＯ冷媒が熱交換器１１から内部空間Ｓ３へ漏洩した場合、ガスセンサ１２がＨＦＯ冷媒の漏洩を検知し、制御部１３が紫外線照射装置１６による紫外線の照射を開始させるよう制御する。ＨＦＯ冷媒の漏洩に応じて内部空間Ｓ３で紫外線の照射を開始することにより、内部空間Ｓ３に漏洩したＨＦＯ冷媒を迅速に不燃化させることができる。
また、ＨＦＯ冷媒の漏洩が検知されない場合には紫外線が照射されないため、紫外線を常時照射する場合に比べて消費電力を低減することができる。
【００４６】
本実施形態の室内機ユニット１０において、制御部１３は、ガスセンサ１２がＨＦＯ冷媒の漏洩を検知した場合に、室内ファン１４の送風量を減少させるよう制御する。
このようにすることで、ＨＦＯ冷媒の内部空間Ｓ３での滞留時間を長くし、室内空間Ｓ１へ送風されるＨＦＯ冷媒をより確実に不燃化させることができる。
【００４７】
本実施形態の室内機ユニット１０において、紫外線照射装置１６は、送風口１０ａに配置され、送風口１０ａから室内空間Ｓ１へ送風されるＨＦＯ冷媒を照射するものである。
このようにすることで、送風口１０ａから室内空間Ｓ１へ送風されるＨＦＯ冷媒に紫外線を確実に照射し、ＨＦＯ冷媒をより確実に不燃化させることができる。
【００４８】
〔第２実施形態〕
次に本発明の第２実施形態について説明する。
第２実施形態は第１実施形態の変形例であり、以下で特に説明する場合を除き、第１実施形態と同様であるものとする。
【００４９】
第１実施形態の室内機ユニット１０は、ガスセンサ１２がＨＦＯ冷媒の漏洩を検知した場合に、送風口１０ａを閉鎖しない状態とし、送風口１０ａに配置される紫外線照射装置１６により送風口１０ａから室内空間Ｓ１へ送風されるＨＦＯ冷媒を不燃化させるものであった。
【００５０】
それに対して本実施形態の室内機ユニット１０’は、ガスセンサ１２がＨＦＯ冷媒の漏洩を検知した場合に、送風口１０ａを閉鎖した状態とし、内部空間Ｓ３でＨＦＯ冷媒を不燃化させるものである。
【００５１】
図６は、図２でＡ−Ａ矢印で示す位置における室内機ユニット１０’の縦断面図である。
第１実施形態においては、送風流路１０ｃの上方側と下方側のそれぞれに紫外線照射装置１６を配置するものであった。それに対して本実施形態の紫外線照射装置１６は、熱交換器１１に取り付けられている。
【００５２】
図６に示す複数の紫外線照射装置１６のそれぞれは、第１実施形態の図１に示す紫外線照射装置１６と同様に、水平方向に延びる形状となっており室内機ユニット１０’の内部空間Ｓ３に配置されている。
【００５３】
図６に示すように、熱交換器１１は、室内空間Ｓ１から吸入された空気が流入する第１面１１ｄと、ＨＦＯ冷媒と熱交換した空気が流出する第２面１１ｅとを有する。
各熱交換器１１の第２面１１ｅには、それぞれ４つの紫外線照射装置１６が取り付けられ、図６中に矢印で示す方向に紫外線を照射するようになっている。
図６中に矢印で示す方向は、熱交換器１１の第２面１１ｅから流出するＨＦＯ冷媒を照射する方向となっている。
【００５４】
なお、図６は、各熱交換器１１の第２面１１ｅに、それぞれ４つの紫外線照射装置１６を取り付けるものであるが、他の態様であってもよい。
例えば、図６に示す３つの熱交換器１１のいずれか１つにのみ４つの紫外線照射装置１６を取り付けるようにしてもよい。また例えば、３つの熱交換器１１のいずれか２つにそれぞれ４つの紫外線照射装置１６を取り付けるようにしてもよい。また、例えば、各熱交換器１１の第２面１１ｅに取り付ける紫外線照射装置１６の個数を１以上の任意の数にしてもよい。
【００５５】
なお、熱交換器１１の第２面１１ｅに紫外線照射装置１６を取り付けると、紫外線照射装置１６が熱交換器１１における空気の流通を妨げる障害物となり得る。そのため、紫外線照射装置１６を取り付ける位置や個数は、熱交換器１１の熱交換性能を考慮した適切な位置および個数とするのが望ましい。
【００５６】
図６においては、熱交換器１１の第２面１１ｅにおいて、冷媒配管１１ｂが配置される位置と対応する位置（空気の流通方向の下流側の位置）としている。このようにすることで、冷媒配管１１ｂが配置される位置と対応しない位置に紫外線照射装置１６を取り付ける場合に比べ、熱交換器１１により熱交換された空気の流通性を高めることができる。
【００５７】
また、図６においては、熱交換器１１の第２面１１ｅに紫外線照射装置１６を取り付けるものとしたが、他の態様であってもよい。例えば、図７の変形例の室内機ユニット１０”のように、内部空間Ｓ３の上方に配置される熱交換器１１が取り付けられる支持部材１０ｄの下面に紫外線照射装置１６を取り付けるようにしてもよい。
【００５８】
次に、本実施形態の室内機ユニット１０’の制御部１３が実行する処理について、図８を用いて説明する。
ステップＳ８０１において、制御部１３は、ガスセンサ１２から出力される信号を監視し、ガスセンサ１２が内部空間Ｓ３へのＨＦＯ冷媒の漏洩を検知したかどうかを判断する。
制御部１３は、ステップＳ８０１でＹＥＳと判断した場合はステップＳ８０２に処理を進め、ＮＯと判断した場合は再びステップＳ８０１の処理を実行する。
【００５９】
ステップＳ８０２において、制御部１３は、内部空間Ｓ３へ漏洩したＨＦＯ冷媒を不燃化させるために、紫外線照射装置１６へ制御信号を送信して紫外線照射装置１６による紫外線の照射を開始させる。
【００６０】
ステップＳ８０３において、制御部１３は、駆動モータ１７に制御信号を送信し、送風口１０ａを閉鎖する位置（図６，図７に実線で示す位置）となるようにフラップ１５の向きを駆動モータ１７で制御する。
送風口１０ａが閉鎖されることにより、室内ファン１４によりＨＦＯ冷媒が送風されて送風口１０ａから室内空間Ｓ１へ導かれることが抑制される。そのため、可燃性を有するＨＦＯ冷媒が不燃化されないまま室内空間Ｓ１へ導かれることが抑制される。
【００６１】
送風口１０ａが閉鎖された状態で室内ファン１４によりＨＦＯ冷媒を送風することにより、ＨＦＯ冷媒は内部空間Ｓ３で循環する。そして、図６，図７に示すように、熱交換器１１の第２面１１ｅから室内ファン１４に向けて紫外線を照射することにより、内部空間Ｓ３で循環するＨＦＯ冷媒が不燃化される。
【００６２】
ステップＳ８０４において、制御部１３は、ガスセンサ１２から出力される信号を監視し、ガスセンサ１２がＨＦＯ冷媒の漏洩を検知したかどうかを判断する。
制御部１３は、ステップＳ８０４でＮＯと判断した場合はステップＳ８０５に処理を進め、ＹＥＳと判断した場合は再びステップＳ８０４の処理を実行する。
【００６３】
ステップＳ８０５において、制御部１３は、内部空間Ｓ３へのＨＦＯ冷媒の漏洩がガスセンサ１２により検知されなくなったことから、紫外線照射装置１６へ制御信号を送信して紫外線照射装置１６による紫外線の照射を停止させる。
このように、紫外線照射装置１６による紫外線の照射は、ガスセンサ１２がＨＦＯ冷媒の内部空間Ｓ３への漏洩を検知している場合にのみ行われる。そのため、紫外線を常時照射する場合に比べ、紫外線の照射に要する消費電力を低減することができる。
【００６４】
また、ステップＳ８０６において、制御部１３は、駆動モータ１７に制御信号を送信し、送風口１０ａを開口する位置（図６，図７に破線で示す位置）となるようにフラップ１５の向きを駆動モータ１７で制御する。
以上のように室内機ユニット１０の制御部１３は、ガスセンサ１２がＨＦＯ冷媒の内部空間Ｓ３への漏洩を検知した場合に、ＨＦＯ冷媒に紫外線を照射して不燃化させることができる。
【００６５】
以上説明したように、本実施形態の室内機ユニット１０は、送風口１０ａから送風される空気の向きを調節するフラップ１５を備え、制御部１３は、ガスセンサ１２がＨＦＯ冷媒の漏洩を検知した場合に、送風口１０ａを閉鎖するようにフラップ１５の向きを制御する。
このようにすることで、可燃性を有するＨＦＯ冷媒が室内機ユニット１０の内部空間Ｓ３へ漏洩した場合に、送風口１０ａを介して内部空間Ｓ３から室内空間Ｓ１へＨＦＯ冷媒が漏洩することを防止することができる。
【００６６】
また、図６に示すように、本実施形態の熱交換器１１は、室内空間Ｓ１から吸入された空気が流入する第１面１１ｄと、ＨＦＯ冷媒と熱交換した空気が流出する第２面１１ｅとを有し、紫外線照射装置１６は、熱交換器１１の第２面１１ｅに配置され、第２面１１ｅから流出するＨＦＯ冷媒を照射する。
このようにすることで、熱交換器１１で熱交換された空気に混合したＨＦＯ冷媒に紫外線を確実に照射し、ＨＦＯ冷媒をより確実に不燃化させることができる。
【００６７】
〔他の実施形態〕
本発明は上述した実施形態に限定されることはなく、その要旨を逸脱しない範囲内において適宜変更することができる。
例えば、以上説明した室内機ユニットは、壁面に設置されるものであったが、天井埋込型や天井吊り下げ型を採用してもよい。
【符号の説明】
【００６８】
１０，１０’，１０”  室内機ユニット
１０ａ  送風口
１０ｂ  筐体
１０ｃ  送風流路
１１    熱交換器
１１ａ  プレート
１１ｂ  冷媒配管
１１ｃ  ベンド部
１１ｄ  第１面
１１ｅ  第２面
１２    ガスセンサ（検知部）
１３    制御部
１４    室内ファン（送風部）
１５    フラップ（風向調節部材）
１６    紫外線照射装置（紫外線照射部）
１７    駆動モータ
２０    室外機ユニット
２１    制御部
３０    冷媒配管
４０    信号線
１００  空気調和装置
Ｓ１    室内空間
Ｓ２    室外空間
Ｓ３    内部空間
Ｗ      壁面
【図１】
0006466249.tif 000002
【図２】
0006466249.tif 000003
【図３】
0006466249.tif 000004
【図４】
0006466249.tif 000005
【図５】
0006466249.tif 000006
【図６】
0006466249.tif 000007
【図７】
0006466249.tif 000008
【図８】
0006466249.tif 000009